(57)【要約】【課題】案内溝を最大限活用して載置部を前方に大きく引き出すと共に、載置部を荷重に対して安定させることができるオーブントースターを提供する。【解決手段】焼成室２と開口部８を有する箱状の本体１と、開口部８を開閉する扉９と、焼成室２内に配される載置部３と、扉９の開閉に連動して載置部３を前後に移動させるアーム１４とを有し、載置部３を前後に案内する主案内溝１６が焼成室２の内側壁部材４，５に形成され、載置部３が、主案内溝１６内を摺動する一対の第一案内ピン２２及び一対の第二案内ピン２３を有する第一枠体１７と、第一案内ピン２２及び第二案内ピン２３間で主案内溝１６内を摺動する一対の第三案内ピン３０を有すると共に第一枠体１７に対し相対的に前後に移動可能な第二枠体１８とを有し、第一枠体１７の前部に第二枠体１８を支持するための第一案内部２８を設けると共に、アーム１４の他端を第二枠体１８に連結する。【選択図】図３
2013224807.tif 000002
【特許請求の範囲】
【請求項１】
内部に焼成室を有すると共に正面に開口部を有する箱状の本体と、前記開口部を開閉する扉と、前記焼成室内に配されて被調理物を載置する載置部と、一端が前記扉に連結されてこの扉の開閉に連動して前記載置部を前後に移動させるアームとを有し、前記載置部を前後に案内する案内溝が前記焼成室の左右側壁に形成されたオーブントースターにおいて、
前記載置部が、前記案内溝内を摺動する一対の第一案内ピン及び一対の第二案内ピンを有する第一枠体と、これら第一案内ピン及び第二案内ピン間で前記案内溝内を摺動する一対の第三案内ピンを有すると共に前記第一枠体に対し相対的に前後に移動可能な第二枠体とを有し、前記第一枠体の前部に前記第二枠体を支持するための支持部を設けると共に、前記アームの他端を前記第二枠体と連結することを特徴とするオーブントースター。
【請求項２】
前記第一枠体の前部に、前記第二枠体を前後に案内する案内部を設けたことを特徴とする請求項１記載のオーブントースター。
【発明の詳細な説明】
【技術分野】
【０００１】
本発明は、被調理物を載置するために設けられた焼成室内の載置部を前方に大きく突出させることができるオーブントースターに関するものである。
【背景技術】
【０００２】
従来、この種のオーブントースターとしては、内部に加熱室（本願発明の焼成室に相当する）を有すると共に前面側に開口部を有する箱状のケース（本願発明の本体に相当する）と、前記開口部を開閉するドア（本願発明の扉に相当する）と、前記加熱室内に配される焼網（本願発明の載置部に相当する）と、前記ドアに設けてある突片とを有し、前記焼網を前後に案内するカム状長孔（本願発明の案内溝に相当する）が、左右反射板に形成されたものが知られている（例えば、特許文献１参照。）。そして、前記焼網は、その前部の枠部が前記突片の切り込み孔に引っ掛けられると共に、その後部に設けられた係止片が前記カム状長孔を摺動するように構成される。また、内部にオーブン庫（本願発明の焼成室に相当する）を有すると共に前面側に開口部を有する箱状の本体部（本願発明の本体に相当する）と、前記開口部を開閉する扉と、前記オーブン庫内に配される焼網（本願発明の載置部に相当する）と、一端が前記扉に連結されてこの扉の開閉に連動して前記焼網を前後に移動させるアームとを有し、前記焼網を前後に案内するガイド用長孔（本願発明の案内溝に相当する）が、本体パネルの左右の側部に形成されたものも知られている（例えば特許文献２参照。）。そして、前記焼網には、前後一対のガイドピン（本願発明の第一案内ピン及び第二案内ピンに相当する）が設けられ、これらのガイドピンが前記ガイド用長孔を摺動するように構成される。
【先行技術文献】
【特許文献】
【０００３】
【特許文献１】特開２００１−３５５８６０号公報
【特許文献２】特開２００８−２８６４２６号公報
【発明の開示】
【発明が解決しようとする課題】
【０００４】
しかしながら、前者のようなオーブントースターは、前述した通り、前記焼網の前部の枠部が前記ドアに設けられた突片の切り込み孔に引っ掛けられている。このため、前記突片は、前記ドアの揺動中心となるヒンジ軸からの距離を大きくできない。そして、前記ヒンジ軸から突片までの距離が短いと、前記ドアを開いた際に、前記焼網を前記開口部から前方に大きく引き出すことができないという問題があった。
【０００５】
一方、後者のようなオーブントースターは、前記アームの一端の連結位置を前記扉の上部に設けて、前記扉の扉開閉軸から前記アームの一端までの距離を大きくすることで、前記焼網の引き出し量を大きくすることができる。なお、後者のようなオーブントースターは、前記焼網の前部が支持されないので、前記焼網に、前述したように、前後一対の前記ガイドピンを左右一対設ける必要がある。このように、前記ガイドピンを前後一対設けることで、前記焼網の前部に荷重がかかったとしても、前記焼網の前部が下がらないように支持することができる。しかしながら、前記焼網は、後側の前記ガイドピンが前記ガイド用長孔の後端に当接する位置から、前側の前記ガイドピンが前記ガイド用長孔の前端に当接する位置までの間でしか移動できない。即ち、前記焼網は、前記ガイド用長孔の水平方向長さと、前記各ガイドピン間の水平方向距離との差分しか引き出すことができないという問題があった。このような問題は、前記ガイドピン間の距離を短くすることで、一応解決可能である。しかし、前記ガイドピン間の距離を短くすれば、前記焼網に被調理物等が置かれた際に、その荷重に対して前記焼網が不安定になるという別の問題が生ずる。即ち、後者のようなオーブントースターは、前記ガイド用長孔の長さを最大限活用して前記焼網の引き出し量を大きくすることができないという問題があった。
【０００６】
本発明は以上の問題点を解決し、案内溝の長さを最大限活用して載置部を本体の開口部から大きく引き出すことができると共に、前記載置部を荷重に対して安定させることができるオーブントースターを提供することを目的とする。
【課題を解決するための手段】
【０００７】
本発明の請求項１に記載のオーブントースターは、内部に焼成室を有すると共に正面に開口部を有する箱状の本体と、前記開口部を開閉する扉と、前記焼成室内に配されて被調理物を載置する載置部と、一端が前記扉に連結されてこの扉の開閉に連動して前記載置部を前後に移動させるアームとを有し、前記載置部を前後に案内する案内溝が前記焼成室の左右側壁に形成されたオーブントースターにおいて、前記載置部が、前記案内溝内を摺動する一対の第一案内ピン及び一対の第二案内ピンを有する第一枠体と、これら第一案内ピン及び第二案内ピン間で前記案内溝内を摺動する一対の第三案内ピンを有すると共に前記第一枠体に対し相対的に前後に移動可能な第二枠体とを有し、前記第一枠体の前部に前記第二枠体を支持するための支持部を設けると共に、前記アームの他端を前記第二枠体と連結することを特徴とする。
【０００８】
また、本発明の請求項２に記載のオーブントースターは、請求項１において、前記第一枠体の前部に、前記第二枠体を前後に案内する案内部を設けたことを特徴とする。
【発明の効果】
【０００９】
本発明の請求項１に記載のオーブントースターは、以上のように構成することにより、前記扉を開くことで、前記第一枠体が、最大で、前記第一案内ピンが前記案内溝の後端に当接する位置から、前記第二案内ピンが前記案内溝の前端に当接する位置まで移動すると共に、前記第二枠体が、最大で、前記第三案内ピンが前記第一案内ピンに当接する位置から前記第二案内ピンに当接する位置まで移動する。即ち、前記第二枠体は、最大で、前記第三案内ピンが前記案内溝の後端から前記第一案内ピンの分だけ前となる位置から、前記第三案内ピンが前記案内溝の前端から前記第二案内ピンの分だけ後となる位置まで移動する。従って、前記載置部は、前記案内溝の長さをほぼ最大限に活用して、前記本体の前記開口部から大きく引き出すことができる。また、前記第二枠体は、前記案内溝に当接する第三案内ピンと前記第一枠体の支持部とで支持されると共に、前記第二枠体を支持する前記第一枠体は、前記案内溝に当接する前記第一案内ピン及び第二案内ピンによって支持される。従って、前記載置部は、前記本体の前記開口部から大きく引き出されたとしても、荷重に対して安定させることができる。
【００１０】
なお、前記第一枠体の前部に、前記第二枠体を前後に案内する案内部を設ければ、前記第二枠体が左右にずれたり傾いたりして引っ掛かることなく、真っ直ぐ引き出すことができる。
【図面の簡単な説明】
【００１１】
【図１】本発明の一実施例を示すオーブントースターの斜視図である。
【図２】同、本体の一部を省略したオーブントースターの斜視図である。
【図３】同、扉を開いた状態を示す、本体の一部を省略したオーブントースターの斜視図である。
【図４】同、扉を第一開き度まで開いた状態を示す、本体の一部を省略したオーブントースターの斜視図である。
【図５】同、扉を第二開き度まで開いた状態を示す、本体の一部を省略したオーブントースターの斜視図である。
【図６】同、扉を第三開き度まで開いた状態を示す、本体の一部を省略したオーブントースターの斜視図である。
【図７】同、焼網に代えて浅底型のトレイを用いた場合を示す、本体の一部を省略したオーブントースターの斜視図である。
【発明を実施するための最良の形態】
【００１２】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１３】
以下、本発明の実施例について、図１乃至図７に基づいて説明する。本実施例のオーブントースターの本体１は、金属板等を折り曲げて、上下左右及び後部を囲む箱状に構成されており、その内部に焼成室２が形成されている。ここで、本実施例の前記焼成室２は、前後方向（図中、Ｘ方向）に広く形成されており、食パンや食器等を前後方向Ｘに並設可能としている。
【００１４】
前記焼成室２の内部には、被調理物を載置するための載置部３が配置されると共に、前記載置部３の上下には、前記本体１の左右の内側壁部材４，５間に架設された上部ヒータ６及び下部ヒータ７が設けられている。
【００１５】
前記本体１の前面側には、被調理物を前記焼成室２に出し入れする開口部８を設けると共に、この開口部８を開閉する扉９が開閉自在に取り付けられている。
【００１６】
前記扉９の上部前側には、把持部１０が設けられている。また、前記扉９の下部前側には、操作部として、前記上部ヒータ６及び前記下部ヒータ７の出力を調整するヒータ出力調節用ノブ１１及び調理時間を設定する調理時間設定用ノブ１２が設けられている。また、前記扉９の中央部分には、ガラス等が嵌め込まれた窓部１３が設けられている。
【００１７】
更に、前記扉９の上部後側の左右には、左右一対のアーム１４の一端に形成されたフック部（不図示）が引っ掛けられて連結されている。これら左右一対の前記アーム１４は、それらの一端が前記扉９の上部後側の左右に回動自在に取り付けられている。前記アーム１４全体は略直線状に形成されており、前記一端側のみ略「く」字型に折り曲げて形成されている。
【００１８】
前記載置部３は、左右の前記内側壁部材４，５に形成された主案内溝１６に案内されて前後方向Ｘに移動可能な第一枠体１７と、前記第一枠体１７に対して相対的に前後方向Ｘに摺動可能となるように、前記第一枠体１７上に載置された第二枠体１８と、前記第二枠体１８上に載置された焼網１９を備えている。
【００１９】
前記主案内溝１６は、左右の前記内側壁部材４，５に、前後方向Ｘで且つ水平に延びるように形成されている。ここで、前記主案内溝１６は、前後方向Ｘに沿って、左右の前記内側壁部材４，５のほぼ全体に連続して形成されている。
【００２０】
前記第一枠体１７は、第一外枠部２０と第一格子部２１を備えて構成されている。前記第一外枠部２０は、金属製の線材を焼成室２内に収容可能な大きさの矩形に折り曲げて形成されている。また、前記第一格子部２１は、直線状の金属製の線材によって形成されており、前記第一外枠部２０の前辺２０Ａと後辺の間に、前後方向Ｘに沿って架設されている。なお、前記第一格子部２１は、左右一対設けられている。
【００２１】
前記第一外枠部２０の左右の側部後端には、左右方向（図中、Ｙ方向）の外方へ向けて突設された左右一対の第一案内ピン２２を備える。また、前記第一案内ピン２２の前方で且つ、前記第一外枠部２０の左右両側部の略中央には、左右方向Ｙの外方へ向けて突設された左右一対の第二案内ピン２３を備える。
【００２２】
そして、前記第一案内ピン２２及び前記第二案内ピン２３は、前記主案内溝１６に挿入されている。そして、前記第一案内ピン２２及び前記第二案内ピン２３の各先端には、それぞれ第一抜け止め用ブッシュ２４及び第二抜け止め用ブッシュ２５が外嵌されている。
【００２３】
これにより、前記第一枠体１７は、前記主案内溝１６に沿って、前記焼成室２内外を前後方向Ｘに沿って摺動可能に設けられている。
【００２４】
前記第二枠体１８は、第二外枠部２６と第二格子部２７を備えて構成されている。前記第二外枠部２６は、金属製の線材を焼成室２内に収容可能な大きさの矩形に折り曲げて形成されている。なお、前記第二外枠部２６は、前後方向Ｘの寸法が前記第一外枠部２０より大きく、且つ左右方向Ｙの寸法が前記第一外枠部２０より小さく形成されている。また、前記第二格子部２７は、直線状の金属製の線材によって形成されており、前記第二外枠部２６の前辺と後辺の間に、前後方向Ｘに沿って架設されている。なお、前記第二格子部２７は、左右一対設けられている。また、前記第二格子部２７同士の間隔は、前記第一格子部２１同士の間隔とほぼ等しい。
【００２５】
前記第一外枠部２０には、その前部に第一案内部２８が左右一対設けられていると共に、その略中央部に第二案内部２９が左右一対設けられている。前記第一案内部２８及び第二案内部２９は、それぞれ前記第一外枠部２０の左右両側部から左右方向Ｙの内側に突出形成されていると共に、それぞれ前後方向Ｘに軸方向を有する筒状部分を有する。また、前記第一案内部２８の筒状部分と第二案内部２９の筒状部分は、前後方向Ｘに沿って同軸上に位置する。更に、左右の前記第一案内部２８同士の間隔及び左右の前記第二案内部２９同士の間隔は、前記第二外枠部２６の左右両側部の間隔と同じである。そして、前記第二外枠部２６の左右両側部は、前記第一案内部２８と第二案内部２９の筒状部分によって、前後方向Ｘに沿って摺動可能となるように、前記第一外枠部２０に保持されている。
【００２６】
更に、前記第二外枠部２６の左右両側部の後部には、左右方向Ｙに沿って外側に突設された左右一対の第三案内ピン３０を備える。
【００２７】
前記第三案内ピン３０は、前記第一案内ピン２２の先端と前記第二案内ピン２３の先端とを連結する連結プレート３１に形成されたプレート側案内溝３２及び前記主案内溝１６に挿入されている。前記プレート側案内溝３２は、前後方向Ｘで且つ水平方向に延びるように形成されている。即ち、前記プレート側案内溝３２は、前記主案内溝１６と平行である。従って、前記第三案内ピン３０は、前記プレート側案内溝３２及び主案内溝１６に案内されて、前記第一案内ピン２２と第二案内ピン２３との間で前後に移動可能となっている。
【００２８】
これにより、前記第二枠体１８は、前記第一案内部２８及び前記第二案内部２９に案内されて、前記第一枠体１７に対し相対的に前後方向Ｘに摺動可能となるように、前記第一枠体１７に支持されている。また、前記第二枠体１８は、前記第一枠体１７上において、前記プレート側案内溝３２及び主案内溝１６に沿って、前記焼成室２の内外を前後方向Ｘに沿って摺動可能に設けられている。
【００２９】
更に、前記第三案内ピン３０は、左右一対の前記アーム１４の他端を枢支している。即ち、左右一対の前記アーム１４は、その他端において、前記第三案内ピン３０に回動自在に枢支されている。
【００３０】
そして、前記第三案内ピン３０の先端で且つ前記連結プレート３１の左右方向Ｙの外側には、第三抜け止め用ブッシュ３３が外嵌されている。
【００３１】
また、前記第二外枠部２６の後端には、金属製の線材を門形に折り曲げて形成された脱落防止用ストッパー３４を備えている。この脱落防止用ストッパー３４は、前記焼網１９が前記第二枠体１８の後方へ脱落することを防止するためのものである。
【００３２】
前記焼網１９は、第三外枠部３５と、第三格子部３６を備えて構成されている。前記第三外枠部３５は、金属製の線材を前記焼成室２内に収容可能な大きさの矩形に折り曲げて形成されている。なお、前記第三外枠部３５の左右方向Ｙの寸法は、前記第一外枠部２０の左右方向Ｙの寸法とほぼ同じである。また、前記第三外枠部３５の前後方向Ｘの寸法は、を前記第二外枠部２６の前後方向Ｘの寸法よりもやや長く形成されている。また、前記第三格子部３６は、金属製の線材からなる格子状の網であり、前記第三外枠部３５内に張設して構成されている。
【００３３】
また、前記第三格子部３６の下部の前後には、それぞれ第一位置決め部３７及び第二位置決め部３８を設けている。これら第一位置決め部３７及び第二位置決め部３８は、前記焼網１９を前記第二枠体１８上に載置した際に、この第二枠体１８に対し前記焼網１９を前後方向Ｘ及び左右方向Ｙに多少の遊びをもって位置決めするためのものである。ここで、前記第一位置決め部３７及び前記第二位置決め部３８は、それぞれ左右一対の第一凸部３９及び第二凸部４０を設けている。これら第一凸３９及び第二凸部４０は、前記第二枠体１８に前記焼網１９を載置した際に、前記第二外枠部２６を構成する線材の前後方向Ｘ及び左右方向Ｙの内側で且つ、前記第二格子部２７を構成する線材の左右方向Ｙの外側に配置される。なお、前記第一位置決め部３７の前記第三枠体部３５の前端からの距離は、前記第二位置決め部３８の前記第三枠体部３５の後端からの距離と等しい。また、前記第一凸部３９同士の間隔は、前記第二凸部４０同士の間隔と等しい。従って、前記焼網１９は、前記第一位置決め部３７側が前になるようにしても、前記第二位置決め部３８側が前になるようにしても、前記第二枠体１８に載置することができる。
【００３４】
前記アーム１４の他端には、引張ばね４１の一端が係止されている。なお、図示されていないが、前記引張ばね４１は、前記側面壁部材４の左右方向Ｙの外側にも設けられている。そして、これらの引張ばね４１の他端は、それぞれ左右の前記側面壁部材４，５の後端部上側に係止されている。これにより、前記アーム１４及び前記第二枠体１８は、前記焼成室２の奥側に向けて付勢されている。即ち、前記アーム１４に引かれる前記扉９は、閉扉方向に付勢されている。
【００３５】
なお、前記載置部３は、図７に示すように、前記焼網１９に代えて、金属製の浅底型のトレイ４２を用いても良いものとする。
【００３６】
また、前記扉９の下部後側には、側面視で略台形状となる保護カバー４３が設けられている。この保護カバー４３は、図示しない電気回路等を覆って前記上部ヒータ６及び下部ヒータ７の熱から保護するためのものである。なお、前記保護カバー４３の下部後側の頂部４４は、図６に示すように、前記扉９の開き度が最大となる時に、前記第二案内ピン２３よりも前方で、前記第一枠体１７の下部に近接する。
【００３７】
次に、上記構成の作用効果について、前記扉９の開き度に従って、３段階に分けて説明する。ここで、前記扉９の開き度とは、前記扉９が前記開口部８を閉塞している状態を０°とし（図４参照）、その状態から前記扉９が開いてゆくごとに大きくなるものとする。
【００３８】
まず、図４に示すように前記扉９の開き度が０°の状態では（以下、第一開き度）、前記第一枠体１７の第一案内ピン２２は、前記主案内溝１６の後端に位置している。一方、前記第二枠体１８の第三案内ピン３０は、前記プレート側案内溝３２の後端に位置している。そして、前記扉９が第一開き度である場合、前記第一枠体１７及び第二枠体１８は、前記焼成室２内に収容されている。なお、この際、図４には図示していないが、前記第二枠体１８上に載置された前記焼網１９又はトレイ４２も、前記焼成室２内に収容されている。
【００３９】
次に、前記把持部１０を掴み、前記引張ばね４１の弾性復元力に抗して、前記扉９を前記第一開き度の状態から開く。この際、前記扉９と連動する前記アーム１４の後端は、前方に変位する。そして、前記第三案内ピン３０は、前記アーム１４に引っ張られて、前記主案内溝１６に沿って前方に摺動する。このように、前記第三案内ピン３０が前方へ摺動することにより、前記第二枠体１８、この第二枠体１８に載置された前記焼網１９又はトレイ４２、更に前記第二枠体１８を載置した前記第一枠体１７が、水平姿勢を維持したまま、前方に移動する。なお、図５に示すように、前記第一枠体１７は、その前記第二案内ピン２３が前記主案内溝１６の前端に当接するまで前方に移動する。このように、前記第二案内ピン２３が前記主案内溝１６の前端に当接した状態で、前記扉９の開き度が第二開き度（約７７°）となる。ここで、前記第一枠体１７は、前記第二枠体１８との摩擦力によって、この第二枠体１８の移動に伴って、前方へ移動する。
【００４０】
続いて、前記扉９を更に開くと、前記アーム１４の後端が前記第二開き度の状態から更に前方に変位する。ここで、前記第一枠体１７は、前記第二案内ピン２３が前記主案内溝１６の前端に当接しているので、これ以上前方へ移動することができない。一方、前記第三案内ピン３０は、前記主案内溝１６及び前記プレート側案内溝３２に沿って、前方に摺動する。この前記第三案内ピン３０の前方への摺動に伴い、前記第二枠体１８は、前記第一案内部２８及び第二案内部２９に案内されて、前記第一枠体１７上において、この前記第一枠体１７から前端が前方へ突出するように移動する。このように、前記第二枠体１８、及びこの第二枠体１８上に載置された前記焼網１９又はトレイ４２は、前記第一枠体１７上で水平姿勢を維持したまま、前記第一枠体１７に対して相対的に前方へ移動する。なお、図６に示すように、前記第二枠体１８は、その前記第三案内ピン３０が前記プレート側案内溝３２の前端に当接するまで前方に移動する。このように、前記第三案内ピン３０が前記プレート側案内溝３２の前端に当接した状態で、これ以上前記扉９が開くことが阻止される。そして、この際の前記扉９の開き度は最大の開き度である第三開き度（約８２°）となる。
【００４１】
そして、前記第二枠体１８は、前記第一案内部２８と第二案内部２９によって案内されているので、前記第三案内ピン３０と主案内溝１６とプレート側案内溝３２の摩擦力が左右で不均衡になったとしても、左右にずれたり傾いたりすることなく、前後方向Ｘに沿って真っ直ぐ移動させることができる。
【００４２】
なお、本例では、前記第一枠体１７と第二枠体１８が一緒に前方に移動した後で、前記第二枠体１８が第一枠体１７に対し相対的に前方に移動するが、摩擦力のバランスによっては、先に前記第二枠体１８が第一枠体１７に対し相対的に前方に移動した後、前記第一枠体１７と第二枠体１８が一緒に前方に移動することもあり得る。また、前記第二枠体１８が第一枠体１７に対し相対的に前方に移動しながら、前記第一枠体１７と第二枠体１８が一緒に前方に移動することもあり得る。
【００４３】
このように、第三開き度における前記第一枠体１７は、その後部に設けられた一対の前記第一案内ピン２２及びその中央部に設けられた一対の前記第二案内ピン２３を左右一対の前記主案内溝１６に当接させることで四点支持される。このように、前記第一枠体１７は、前記第一案内ピン２２と前記第二案内ピン２３と主案内溝１６によって四点支持されることで、水平姿勢を維持している。一方、第三開き度における前記第二枠体１８は、その後部に設けられた一対の前記第三案内ピン３０を前記主案内溝１６及びプレート側案内溝３２に当接させると共に、前記第二外枠部２６の左右両側部の前部を前記第一枠体１７の第一外枠部２０の前辺２０Ａに当接させて四点支持させることによって、水平姿勢を維持している。そして、前記第二枠体１８及びこの第二枠体１８に載置された前記焼網１９又はトレイ４２は、前記第一枠体１７の前端から更に前方に移動するので、前記本体１の開口部８から大きく突出させることができる。そして、前記第二枠体１８に載置された前記焼網１９又はトレイ４２が前記開口部８から大きく突出することで、使用者が熱くなった前記本体１に触れて火傷する虞を減ずることができる。
【００４４】
なお、前記焼網１９或いはトレイ４２に載せる被調理物の重量によっては、前記第一枠体１７が撓む可能性がある。しかしながら、この第一枠体１７の下方に前記保護カバー４３の頂部４４が近接しているので、前記第一枠体１７が撓んだとしても、この第一枠体１７が前記保護カバー４３の頂部４４に当接する。従って、前記保護カバー４３によっても、前記第一枠体１７、ひいては第二枠体１８や焼網１９又はトレイ４２の支持が可能である。
【００４５】
また、図６のように前記扉９が完全に開いた状態では、前記引張ばね４１の復元力と、前記扉９の重量や摩擦力等が釣り合って、前記把持部１０から手を離しても、開扉状態が維持される。一方、前記扉９を少し閉扉方向に戻すと、前記引張ばね４１の復元力が勝ることになって、前記アーム１４の他端が後方へ引っ張られるので、前記扉９は図４に示す第一開き度（即ち、閉扉状態）となる。
【００４６】
以上のように、内部に焼成室２を有すると共に正面に開口部８を有する箱状の本体１と、前記開口部８を開閉する扉９と、前記焼成室２内に配される載置部３と、一端が前記扉９に連結されてこの扉９の開閉に連動して前記載置部３を前後に移動させるアーム１４とを有し、前記載置部３を前後に案内する案内溝としての主案内溝１６が前記焼成室２の左右側壁としての内側壁部材４，５に形成されたオーブントースターにおいて、前記載置部３が、前記ガイド用案内溝１６内を摺動する一対の第一案内ピン２２及び一対の第二案内ピン２３を有する第一枠体１７と、前記第一案内ピン２２及び第二案内ピン２３間で前記ガイド用案内溝１６内を摺動する一対の第三案内ピン３０を有すると共に前記第一枠体１７に対し相対的に前後に移動可能な第二枠体１８とを有し、前記第一枠体１７の前部に前記第二枠体１８を支持するための支持部としての第一外枠部２０の前辺２０Ａを設けると共に、前記アーム１４の他端を前記第二枠体１８と連結している。
【００４７】
この場合、前記扉９を開くことで、前記第一枠体１７が、最大で、前記第一案内ピン２２が前記主案内溝１６の後端に当接する位置から、前記第二案内ピン２３が前記主案内溝１６の前端に当接する位置まで移動すると共に、前記第二枠体１８が、最大で、前記第三案内ピン３０が前記主案内溝１６の後端から前記第一案内ピン２２の分だけ前となる位置から、前記第三案内ピン３０が前記主案内溝１６の前端から前記第二案内ピン２３の分だけ後となる位置まで移動する。なお、本実施例では、前記第二枠体１８は、前記第三案内ピン３０が、前記主案内溝１６内において、前記プレート側案内溝３２の後端に当接する位置から、前記プレート側案内溝３２の前端に当接する位置まで移動することになる。このため、前記第二枠体１８に載置された前記焼網１９或いはトレイ４２の引き出し量は、理論値よりは僅かに小さい。しかしながら、従来の構造と比較すると、前記焼網１９或いはトレイ４２の引き出し量は十分大きいと言える。従って、前記載置部３は、前記主案内溝１６の長さをほぼ最大限に活用して、前記本体１の前記開口部８から大きく引き出すことができる。また、前記第二枠体１８は、前記主案内溝１６に当接する第三案内ピン３０と前記第一枠体１７の第一外枠部２０の前辺２０Ａとで支持されると共に、前記第二枠体１８を支持する前記第一枠体１７は、前記主案内溝１６に当接する前記第一案内ピン２２及び第二案内ピン２３によって支持される。従って、前記載置部３は、前記本体１の前記開口部８から大きく引き出されたとしても、前記載置部３の荷重に対して安定させることができる。
【００４８】
また、前記第一枠体１７の前部に、前記第二枠体１８を前後に案内する案内部としての第一案内部２８を設けたことにより、前記第二枠体１８が左右方向Ｙにずれたり傾いたりして引っ掛かることなく、前後方向Ｘに沿って真っ直ぐ引き出すことができる。
【００４９】
更に、前記第一枠体１７の前後に前記第一案内部２８及び前記第二案内部２９を設けたことにより、前記第二枠体１８が前記第一枠体１７と相対的に前後方向Ｘに沿って移動する際の左右方向Ｙのずれや傾きを更に抑えて、前後方向Ｘへの摺動動作を安定させることができる。
【００５０】
なお、本発明は上述した実施例に限定されるものではなく、本発明の要旨の範囲内において、種々の変形実施が可能である。例えば、上記実施例は、前記第三案内ピンの可動範囲が連結プレートのプレート側案内溝によって制限されたが、連結プレートを設けずに前記各案内ピンが全て主案内溝で案内されると共に可動範囲が制限されるように構成しても良い。
【符号の説明】
【００５１】
１  本体
２  焼成室
３  載置部
４  内側壁部材（側壁）
５  内側壁部材（側壁）
８  開口部
９  扉
１４  アーム
１６  主案内溝（案内溝）
１７  第一枠体
１８  第二枠体
２０Ａ  前辺（支持部）
２２  第一案内ピン
２３  第二案内ピン
２８  第一案内部（案内部）
３０  第三案内ピン
【図１】
2013224807.tif 000003
【図２】
2013224807.tif 000004
【図３】
2013224807.tif 000005
【図４】
2013224807.tif 000006
【図５】
2013224807.tif 000007
【図６】
2013224807.tif 000008
【図７】
2013224807.tif 000009